(57)【要約】【課題】  本発明は上記課題を鑑みて発明されたものであり、例えばスポーツイベントや各種試験において、優勝や合格の祈願から目標達成までの間、長期的に使用できる記念品を提供することにある。【解決手段】  スポーツイベントの優勝祈願や各種試験の合格祈願、あるいは前記スポーツイベントや各種試験の目標達成時に、これを祝勝することを目的に配布される記念品であって、本体１の所定箇所に備えた記念事項を示すラベル２は、目標設定メッセージ３と目標達成メッセージ４とを切り替え可能に形成してあることを特徴とする。【選択図】      図２
2005078026.tif 000002
【特許請求の範囲】
【請求項１】
スポーツイベントにおける優勝の祈願や各種試験の合格祈願、或いは前記スポーツイベントや各種試験の目標達成時に、これを祝勝することを目的に配布される記念品であって、
本体（１）の所定箇所に備えた記念事項を示すラベル（２）は、目標設定メッセージ（３）と目標達成メッセージ（４）とを切り替え可能に形成してあることを特徴とする記念品。
【請求項２】
前記ラベル（２）は、一面側に目標設定メッセージ（３）を表示し且つ他面側に目標達成メッセージ（４）を表示した板体（６）と、該板体（６）の一面側又は他面側のいずれかの面（３，４）を正面に向けたままで前記本体（１）への取付けを可能とする止具（５）とからなっていることを特徴とする請求項１記載の記念品。
【請求項３】
前記ラベル（２）は、本体（１）の所定箇所に目標達成メッセージ（４）を表示し、さらに、該目標達成メッセージ（４）の表示箇所と重なるように、一面側に目標設定メッセージ（３）を表示した粘着テープ（７）を剥離可能に備えていることを特徴とする請求項１記載の記念品。
【請求項４】
前記ラベル（２）は、メッセージ表示部（６，７）の一部（６ｂ，６ｃ，７ａ）のみを交換可能に形成してあることを特徴とする請求項１，２又は３記載の記念品。
【発明の詳細な説明】
【技術分野】
【０００１】
本発明は、各種スポーツイベントや試験等において、対象者や該対象者に愛着のある人々が目標達成を祈願・祝勝し、その証として配布或いは所有する記念品に関するものである。
【背景技術】
【０００２】
記念品は従来、スポーツイベントやコンクール、グランプリ等の受賞時、或いは各種試験の合格に際して、受賞者や合格者が感謝の意を表したり、或いは、受賞者に愛着をもつ各個人が受賞の喜びを共感する目的から、この気持ちを何らかの形で残す手段として広く用いられている。また、前記の事象において目標達成を祈願する場合においても、記念品を配布、所有する場合があった。
【０００３】
【特許文献１】実用新案登録第３０８３８４５号（１頁目）
【発明の開示】
【発明が解決しようとする課題】
【０００４】
しかしながら従来あった記念品の場合、ラベルのメッセージ表示内容が一定に定まっているために、例えば目標を達成した際には、この目標の祈願時に手に入れた記念品は意味をなさないことから、これとは別に祝勝用の記念品を用意する必要があり、所有者にとっては負担が増大するものであった。また、記念品の製造者側においても、例えば大きなスポーツイベントなどでは、優勝チームが最後まで不確定であることから、確定するまでは予め在庫をストックするわけにもいかず、いざ優勝が決定した場合に、クライアントからの作成依頼に即座に対応しなければならず、受注数への対応生産数に限界を生じ、さらに記念品の製造の手配に時間がかかると、目標達成時からの時間の経過によって感動が薄らぐ不安があった。
【０００５】
本発明は上記課題を鑑みて発明されたものであり、例えばスポーツイベントや各種試験において、優勝や合格の祈願から目標達成までの間、長期的に使用できる記念品を提供することにある。
【課題を解決するための手段】
【０００６】
本発明のうち請求項１記載の発明は、スポーツイベントにおける優勝の祈願や各種試験の合格祈願、或いは前記スポーツイベントや各種試験の目標達成時に、これを祝勝することを目的に配布される記念品であって、本体の所定箇所に備えた記念事項を示すラベルは、目標設定メッセージと目標達成メッセージとを切り替え可能に形成してあることを特徴とする。
【０００７】
ラベルとは、この記念品が意味する事項を示すための手段であり、通常は、記念品の正面側などの所有者の目の止まり易い箇所に備えられる。また目標設定メッセージとは、例えば優勝や合格を祈願する内容のものを意味し、さらに目標達成メッセージとは、前述した優勝や合格等の祝勝を意味するものが挙げられる。また各メッセージを切り替える手段は、特に限定するものではない。
【０００８】
このように形成すると、例えばスポーツイベントや各種試験の現況に合わせ、ラベルのメッセージ表示の切り替えを行うことで、１つの記念品を目標設定から達成に至るまで継続的に使用できる。
【０００９】
本発明のうち請求項２記載の発明では、前記ラベルは、一面側に目標設定メッセージを表示し且つ他面側に目標達成メッセージを表示した板体と、該板体の一面側又は他面側のいずれかの面を正面に向けたままで前記本体への取付けを可能とする止具とからなっているので、イベントや試験の現況に合わせて前記各メッセージの内容を切り替える際に、板体を裏返して止具により固定するだけでよい。
【００１０】
板体の素材としては、止具の係止力に耐え得るような、ある程度硬質なものを使用することが望ましく、具体的には樹脂や、或いはアルミ合金等の金属製のものが選択される。また止具は、前記板体を位置決めした状態で取り付けられるものであればよく、具体的には、内向きに屈曲した爪状のものや、或いは板体の両端と本体のそれぞれに穴を開け、そこにピンを抜き差しするもの等が選択される。
【００１１】
本発明のうち請求項３記載の発明では、前記ラベルは、本体の所定箇所に目標達成メッセージを表示し、さらに、該目標達成メッセージの表示箇所と重なるように、一面側に目標設定メッセージを表示した粘着テープを剥離可能に備えているので、例えば、スポーツイベントや試験の現況の変化に対応して、目標設定メッセージの記された粘着テープを剥がすことで、目標達成メッセージが露出する。また、請求項４記載の発明のように、前記ラベルは、メッセージ表示部の一部のみを交換可能に形成してあれば、現況の変化時においては、メッセージ内容の変更に必要な箇所のみを交換する構成であるから、より一層簡単にメッセージの切り替えができる。さらにメッセージ表示部とは、前記各メッセージの表示手段となる板体、粘着テープの総称である。
【発明の効果】
【００１２】
本発明のうち請求項１記載の発明によれば、所有者による目標の設定時から達成時に渡って、１つの記念品を継続して使用し続けられるので、例えば、クライアントから大量の受注が予想されるプロ野球やプロサッカー等の大がかりなスポーツイベントの場合、対象チームの優勝が確定するまでは、本格的な製造段階に至るまでは製造者側では大きな不安を抱えるものであったが、購入者側がスポーツイベントの開始前や試験勉強に取りかかる際に事前に手に入れることができるので、これを手に入れた後は、現況に合わせてラベルのメッセージ表示状態を適宜切り替えるだけで、祈願・祝勝の両タイプの記念品として使うことができる。
【００１３】
本発明のうち請求項２及び３記載の発明によれば、請求項１記載の発明の効果に加えて、目標設定時から目標達成時のメッセージの切り替えをより一層容易に行なえる。
【００１４】
本発明のうち請求項４記載の発明によれば、メッセージ表示部の一部分のみを切り替えることから、一層無駄のない記念品を提供できる。
【発明を実施するための最良の形態】
【００１５】
ここで、本発明の記念品の具体的な実施形態を各図面に基づいて説明する。
本記念品は図１（ａ）（ｂ）のように、プロスポーツチームのマスコットキャラクターを象った真鍮製のモニュメント１０と、該モニュメント１０を支持する台座１１と、から本体１を構成しており、さらに、前記台座１１の正面側には、優勝祈願及び祝勝を意味するメッセージ３，４を記入したラベル２を設けている。
【００１６】
次に、本発明の主要部となるラベル２の構成について、更に詳細に説明する。
まず図２及び図３のように、本記念品ではラベル２のメッセージ表示部分に、表裏面にそれぞれ「祈願○×チーム優勝！！」３及び「祝○×チーム優勝！！」４と記された板体６を使用しており、この板体６は、横長方形で且つ約２〜３ｍｍ厚のアルミ合金製の金属板により形成してある。次に台座１１には、その正面側において、前記板体６の形状に合わせて三方を囲むような枠状をなす止具５を備えてある。さらに該止具５は、三方すべての先端部分に、内向きに屈曲した爪を有しており、この爪により、前記板体６を止具５における開放した一方側から差し入れた場合に、前記板体６が、本体１の正面側への抜け出しが不能な状態で係止される。そして、仮に本記念品の所有者の応援チームが優勝した場合には、当初「祈願○×チーム優勝！！」３と記された面を表に向けている板体６を、止具５の開放側から取り出し、「祝○×チーム優勝！！」４と記された面を表に向けて、再び止具５の開放側に差し入れることで、祈願用から祝勝用の記念品へと切り替わることとなる。
【００１７】
次に本発明の他の実施形態を説明すると、図４のように、本体１のラベル２を設ける箇所には、「祝○×チーム優勝！！」４という文字が直接記されている。そして、「祝○×チーム優勝！！」４と記された箇所と重なるように、その一面側に「祈願○×チーム優勝！！」３という文字が記された粘着テープ７を貼ってあり、さらに、前記「祝○×チーム優勝！！」４と記された箇所は滑面に形成してあり、前記粘着テープ7を剥離し易く形成している。そして、本記念品の対象とするスポーツイベントにおいて、仮に所有者の応援チームが優勝した場合には、上側の粘着テープ７を剥がして「祝○×チーム優勝！！」４という文字を露出させることで、当初祈願用であった本記念品が祝勝用の記念品へと変わることとなる。
【００１８】
さらに本発明の他の実施形態として、図５のように、祈願用のメッセージ３を記した板体６の一部を分割できるものである。具体的には、板体６の一面側に記載された文字のうち、「祈願」と記されたパーツ（以下、「祈願」パーツと記す）６ｃと、「○×チーム優勝！！」と記されたパーツ６ａとに分割し、このうち前記「祈願」パーツ６ｃを止具５から取り外し、替わりに「祝」と記載された前記「祈願」パーツ６ｃと同一形状をなすパーツ６ｂを差し入れることで、祈願用から祝勝用の記念品へと変更できる。また、メッセージ表示部分３，４の一部を交換するものについては、前記形態以外には図６のように、「祝○×チーム優勝！！」４と記載された箇所のうち「祝」の箇所に、「祈願」と記載された粘着テープ７ａを貼ったものでもよく、この場合、応援チームの優勝が決まった際に、所有者が前記「祈願」と記された粘着テープ７ａを剥がすことにより、祈願用から祝勝用の記念品へと変更される。
【図面の簡単な説明】
【００１９】
【図１（ａ）（ｂ）】本発明の記念品の一実施形態を示す斜視図である。
【図２】本発明の記念品の使用状態を示す説明図である。
【図３（ａ）（ｂ）】本発明の板体の表裏面をそれぞれ示す正面図である。
【図４】本発明の記念品の他の実施形態を説明する斜視図である。
【図５】同じく、本発明の記念品の他の実施形態を説明する斜視図である。
【図６】同じく、本発明の記念品の他の実施形態を説明する斜視図である。
【符号の説明】
【００２０】
１  本体
２  ラベル
３  目標設定メッセージ
４  目標達成メッセージ
５  止具
６  板体（メッセージ表示部）
６ａ，６ｂ，６ｃ，７ａ  パーツ、粘着テープ（一部）
７  粘着テープ（メッセージ表示部）
【図１（ａ）（ｂ）】
2005078026.tif 000003
【図２】
2005078026.tif 000004
【図３（ａ）（ｂ）】
2005078026.tif 000005
【図４】
2005078026.tif 000006
【図５】
2005078026.tif 000007
【図６】
2005078026.tif 000008